【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
コンテンツデータを再生する再生部と、
上記再生部で上記コンテンツデータが再生されているときに、再生中の上記コンテンツデータに関連する関連コンテンツデータの存在を通知する通知部と、
上記再生部で再生中の上記コンテンツデータに関連する関連コンテンツデータを検索できたか否かの判断を行い、該関連コンテンツデータが検索された場合に上記通知部を制御し該関連コンテンツデータの存在を通知させる通知制御部と
を有することを特徴とする再生装置。
【請求項２】
請求項１に記載の再生装置において、
上記通知制御部による上記制御に応じて発光する発光部と、
ユーザ操作に応じて動作モードを上記関連コンテンツデータを検索および／または選択するモードに移行させる操作部と
をさらに有し、
上記操作部と上記発光部とは、一体的に構成される
ことを特徴とする再生装置。
【請求項３】
請求項１に記載の再生装置において、
上記通知制御部は、
上記再生部で再生中のコンテンツデータの評価値が所定値以上の場合に、該コンテンツデータに関連する関連コンテンツデータが検索できたか否かの上記判断を行うようにした
ことを特徴とする再生装置。
【請求項４】
請求項１に記載の再生装置において、
上記通知制御部は、
上記再生部で再生中のコンテンツデータの評価値に応じて上記通知のパターンを異ならせるように上記通知の制御を行うようにした
ことを特徴とする再生装置。
【請求項５】
請求項１に記載の再生装置において、
上記通知制御部による上記制御に応じて音声を発生する音声出力部をさらに有し、
上記通知制御部は、
上記音声出力部で発生される上記音声で上記通知を行うようにした
ことを特徴とする再生装置。
【請求項６】
請求項１に記載の再生装置において、
上記通知制御部による上記制御に応じて振動を発生させる振動発生部をさらに有し、
上記通知制御部は、
上記振動発生部で発生される上記振動で上記通知を行うようにした
ことを特徴とする再生装置。
【請求項７】
請求項１に記載の再生装置において、
上記通知制御部は、
上記再生部で再生中の上記コンテンツデータの属性情報に基づき該コンテンツデータに関連する関連コンテンツデータが検索されたか否かを判断するようにした
ことを特徴とする再生装置。
【請求項８】
請求項７に記載の再生装置において、
上記属性情報は、対応するコンテンツデータのアーティスト情報であって、
上記通知制御部は、
上記再生部で再生中のコンテンツデータのアーティスト情報に関連するアーティスト情報を属性情報として有するコンテンツデータを、上記関連コンテンツデータとするようにした
ことを特徴とする再生装置。
【請求項９】
請求項７に記載の再生装置において、
上記属性情報は、対応するコンテンツデータのジャンル情報であって、
上記通知制御部は、
上記再生部で再生中の上記コンテンツデータと上記ジャンル情報が一致するコンテンツデータを上記関連コンテンツデータとするようにした
ことを特徴とする再生装置。
【請求項１０】
請求項７に記載の再生装置において、
上記属性情報は、対応するコンテンツデータに対する統計情報であって、
上記通知制御部は、
上記再生部で再生中のコンテンツデータの上記統計情報に基づき上記関連コンテンツデータが検索されたか否かを判断するようにした
ことを特徴とする再生装置。
【請求項１１】
請求項１に記載の再生装置において、
上記通知制御部は、
上記再生部で再生中の上記コンテンツデータそのものの特徴に基づき該コンテンツデータに関連する関連コンテンツデータが検索されたか否かを判断するようにした
ことを特徴とする再生装置。
【請求項１２】
請求項１に記載の再生装置において、
コンテンツデータを蓄積的に記録可能な記録部をさらに有し、
上記再生部は、上記記録部に記録された上記コンテンツデータを再生するようにされ、
上記通知制御部は、
上記再生部で再生中の上記コンテンツデータに関連する関連コンテンツデータが上記記録部に記録されているか否かの判断を行い、記録されていると判断された場合に、その旨示す通知を行うように制御するようにした
ことを特徴とする再生装置。
【請求項１３】
請求項１２に記載の再生装置において、
上記通知制御部は、
上記判断により上記記録部に上記再生部で再生中のコンテンツデータに関連する関連コンテンツデータが記録されていると判断され、且つ、該関連コンテンツデータが未聴または未評価の場合に、上記通知を行うようにした
ことを特徴とする再生装置。
【請求項１４】
請求項１２に記載の再生装置において、
上記通知制御部は、
上記判断により上記記録部に上記再生部で再生中のコンテンツデータに関連する関連コンテンツデータが記録されていると判断され、且つ、該関連コンテンツデータが上記記録部に所定数以上記録されている場合に、上記通知を行うようにした
ことを特徴とする再生装置。
【請求項１５】
請求項１に記載の再生装置において、
コンテンツデータを保持するコンテンツ保持装置とデータの送受信を行う無線通信部をさらに有し、
上記通知制御部は、
上記無線通信部を介して通信可能な他のコンテンツ保持装置を検索し、検索された他のコンテンツ保持装置が上記関連コンテンツデータを保持するか否かの判断を行い、上記関連コンテンツデータが検索された場合に上記通知部を制御し上記関連コンテンツデータの存在を通知させる
ことを特徴とする再生装置。
【請求項１６】
請求項１５に記載の再生装置において、
データを表示する表示部をさらに有し、
上記通知制御部は、
上記関連コンテンツデータの属性情報と、該関連コンテンツデータを保持するコンテンツ保持装置の関連情報とを上記表示部に表示させる
ことを特徴とする再生装置。
【請求項１７】
請求項１５に記載の再生装置において、
上記通知制御部は、
該再生装置周辺の通信可能な他のコンテンツ保持装置を検索し、検索された他のコンテンツ保持装置が上記関連コンテンツデータを保持するか否かの判断を行い、上記関連コンテンツデータが検索された場合に上記通知部を制御して上記関連コンテンツデータの存在を通知させる
ことを特徴とする再生装置。
【請求項１８】
コンテンツデータを再生する再生ステップと、
上記再生ステップにより上記コンテンツデータが再生されているときに、再生中の上記コンテンツデータに関連する関連コンテンツデータが存在するか否かを判断する判断ステップと、
上記関連コンテンツデータが存在すると判断された場合には、上記関連コンテンツデータが存在することを通知する通知ステップと
を有する
ことを特徴とする関連情報通知方法。
【請求項１９】
コンテンツデータを再生する再生ステップと、
上記再生ステップにより上記コンテンツデータが再生されているときに、再生中の上記コンテンツデータに関連する関連コンテンツデータが存在するか否かを判断する判断ステップと、
上記関連コンテンツデータが存在すると判断された場合には、上記関連コンテンツデータが存在することを通知する通知ステップと
を有する関連情報通知方法をコンピュータ装置に実行させる
ことを特徴とする関連情報通知プログラム。
【手続補正２】
【補正対象書類名】明細書
【補正対象項目名】００１０
【補正方法】変更
【補正の内容】
【００１０】
この発明は、上述した課題を解決するために、コンテンツデータを再生する再生部と、再生部でコンテンツデータが再生されているときに、再生中のコンテンツデータに関連する関連コンテンツデータの存在を通知する通知部と、再生部で再生中のコンテンツデータに関連する関連コンテンツデータを検索できたか否かの判断を行い、関連コンテンツデータが検索された場合に通知部を制御し関連コンテンツデータの存在を通知させる通知制御部とを有することを特徴とする再生装置である。
【手続補正３】
【補正対象書類名】明細書
【補正対象項目名】００１１
【補正方法】変更
【補正の内容】
【００１１】
また、この発明は、コンテンツデータを再生する再生ステップと、再生ステップによりコンテンツデータが再生されているときに、再生中のコンテンツデータに関連する関連コンテンツデータが存在するか否かを判断する判断ステップと、関連コンテンツデータが存在すると判断された場合には、関連コンテンツデータが存在することを通知する通知ステップとを有することを特徴とする関連情報通知方法である。
【手続補正４】
【補正対象書類名】明細書
【補正対象項目名】００１２
【補正方法】変更
【補正の内容】
【００１２】
また、この発明は、コンテンツデータを再生する再生ステップと、再生ステップによりコンテンツデータが再生されているときに、再生中のコンテンツデータに関連する関連コンテンツデータが存在するか否かを判断する判断ステップと、関連コンテンツデータが存在すると判断された場合には、関連コンテンツデータが存在することを通知する通知ステップとを有する関連情報通知方法をコンピュータ装置に実行させることを特徴とする関連情報通知プログラムである。
【手続補正５】
【補正対象書類名】明細書
【補正対象項目名】００１３
【補正方法】変更
【補正の内容】
【００１３】
上述したように、この発明は、再生中のコンテンツデータに関連する関連コンテンツデータが存在するか否かの判断を行い、存在すると判断された場合に、その旨示す通知を行うようにしているため、ユーザは、再生中のコンテンツデータに関連する関連コンテンツデータの存在を、コンテンツデータの検索操作などを行うこと無しに知ることができる。